(57)【要約】【課題】加飾層の見切り線が不鮮明になる問題を回避しつつ、表側透明層の表面をより大きな曲率の凸曲面にすることを可能として、該表面における立体感をより高める。【解決手段】背後にレーダ装置３が配設される外装部品たるフロントグリル２に形成された開口部２ａに配設され、レーダ装置３が送・受信する電波を透過させうる電波透過性カバー部材としてのフロントグリルガーニッシュ１であって、表側透明層４と、裏側基材層５と、加飾層とを備え、表側透明層４が表側に凸となる平凸レンズ形状をなしている。表側透明層４の裏側の面の平面性を維持しつつ、表側透明層４の表側の凸レンズ面を大きく湾曲させてより大きな曲率の凸曲面とすることができる。【選択図】    図１
2006287500.tif 000002
【特許請求の範囲】
【請求項１】
背後にレーダ装置が配設される外装部品に形成された開口部を塞ぐように該開口部に配設され、該レーダ装置が送・受信する電波を透過させうる電波透過性カバー部材であって、
前記外装部品の表側に配置される表側透明層と、該外装部品の裏側に配置される裏側基材層と、該表側透明層及び該裏側基材層の間に配設された加飾層とを備え、
前記表側透明層の少なくとも一部が表側に凸となる平凸レンズ形状をなしていることを特徴とする電波透過性カバー部材。
【請求項２】
前記裏側基材層の少なくとも一部が裏側に凸となる平凸レンズ形状をなしていることを特徴とする請求項１記載の電波透過性カバー部材。
【請求項３】
前記裏側基材層は、裏面の少なくとも一部が、透過する電波を屈折により集束させる集束レンズ機能を有するフレネルレンズ面よりなることを特徴とする請求項１記載の電波透過性カバー部材。
【請求項４】
前記外装部品は車両用外装部品としてのフロントグリルであって、該フロントグリルの前記開口部に配設されるフロントグリルガーニッシュであることを特徴とする請求項１、２又は３記載の電波透過性カバー部材。
【発明の詳細な説明】
【技術分野】
【０００１】
本発明は電波透過性カバー部材に関し、詳しくは背後にレーダ装置が配設される外装部品に形成された開口部を塞ぐように該開口部に配設され、該レーダ装置が送・受信するミリ波やマイクロ波等の電波を透過させうる電波透過性カバー部材に関する。本発明の電波透過性カバー部材は、例えば、ミリ波を用いる車載レーダ装置が背後に配設される車両用外装部品としてのフロントグリルに形成された開口部に配設されるフロントグリルガーニッシュに好適に用いることができる。
【背景技術】
【０００２】
車載レーダ装置には、例えば、レーザ光を利用するレーザ式のものや、ミリ波やマイクロ波等の電波を利用する電波式のものがある。このうち、電波式のレーダ装置が、レーザ式と比べて雨、雪、霧などの環境を受け難いこと、またミリ波等の短波長の電波なら直進性及び指向性に優れているためアンテナの小型化にも貢献しうることから、近年、注目されている。
【０００３】
このような車載レーダ装置は、ミリ波等を送信し、かつ、対象物に当たって反射したミリ波等を受信することで、車両前方の障害物を検知したり、車間距離を測定したりする目的で使用される。このため、車載レーダ装置は、例えば、車両前面の外装部品たるフロントグリルの背後に配設される。しかし、フロントグリル自体は、エンジンルーム内にエアを取り入れるための通気口が多数設けられているとともにその表面に金属めっきが施されている場合が多く、金属の反射係数が大きいミリ波等の電波を良好に透過させることが難しい構造をしている。フロントグリルのレーザ装置の前方位置に電波透過用の開口部を形成すれば、この開口部を介して電波を透過させることができるが、このままでは、車両の前方から開口部を通してレーダ装置等のエンジンルーム内が見えてしまうため、意匠性を損なう。そこで、フロントグリルに形成された電波透過用の開口部に、電波を透過させうる電波透過性カバー部材としてのフロントグリルガーニッシュを配設することにより、意匠性及び電波透過性を高めることがさなれている。
【０００４】
このような電波透過性カバー部材として、外装部品の表側に配置され電波透過性かつ透明な材料よりなる表側透明層と、外装部品の裏側に配置され電波透過性材料よりなる裏側基材層と、これら表側透明層及び裏側基材層の間に配設された加飾層とを備えているものが、従来、知られている（例えば、特許文献１参照）。
【０００５】
この電波透過性カバー部材は、ポリカーボネート（ＰＣ）やポリメタクリル酸メチル（ＰＭＭＡ）等よりなる表側透明層の内部面（裏側基材層側の面）にインジウム蒸着等により金属薄膜を形成するとともに、この金属薄膜を残留させる部分にマスキング塗料を塗布してマスキング塗膜を形成してから、エッチングによりマスキング塗膜部分以外の金属薄膜を除去して、その後表側透明層の内部面全体にアクリル系塗料等を塗布して黒色塗膜を形成し、最後にポリフェニレンエーテル（ＰＰＥ）やアクリロニトリル・ブタジエン・スチレン共重合体（ＡＢＳ）等よりなる裏側基材層を表側透明層の内部面に接着剤等により貼り付けることにより、製造したものである。そして、この電波透過性カバー部材では、金属光沢をもたせる部分において、予め表側透明層の内部面に凹部を設けるとともに裏側基材層に凸部を設けている。こうして、エッチングされずにこの凹部に残留した金属薄膜及びマスキング塗膜（マスキング塗膜自体はカバー部材の表側から見えない）と、黒色塗膜とにより加飾層が構成されている。このため、この電波透過性カバー部材を表側から見ると、裏側基材層の凸部上に形成された金属光沢をもつ金属薄膜が、濃色の黒色塗膜を背景として、表側透明層の中で三次元的に浮かび上がって見える。
【０００６】
ここに、このような電波透過性カバー部材においては、電波透過性材料の肉厚が電波透過性に影響を及ぼす。すなわち、電波透過性材料の肉厚の厚い部分と薄い部分とでは、電波透過性が異なる。電波透過性カバー部材は、極端な肉厚の変化により透過性が大きく低下するため、表側の表面が平滑面若しくは緩やかな曲面となっていることが好ましい。
【０００７】
また、他の電波透過性カバー部材として、マスキング及びエッチングにより加飾層としての金属薄膜を残留させる代わりに、金属薄膜のうち加飾層となる部分以外の部分に、スクリーン印刷という印刷を施したものも知られている。このように印刷によって所定形状の加飾層を形成すれば、マスキング及びエッチングする場合と比較して、金属光沢をもつ加飾層の見切り線（加飾層とその周りの印刷層との境界線）をより鮮明にすることができ、意匠性をより高めることが可能となる。
【特許文献１】特開２００２−１３５０３０号公報
【発明の開示】
【発明が解決しようとする課題】
【０００８】
ところで、上述したような電波透過性カバー部材は、一般に、平板状の全体形状を有して表側透明層の表面が平坦面よりなるものや、あるいは極めてなだらかに湾曲した全体形状を有して表側透明層の表面が表側に若干凸となる緩やかな凸曲面よりなるものが多い。しかして、表側透明層の表面における立体感をより高めたいという意匠上の理由等から、この表側透明層の表面を表側に凸となる凸曲面にし、かつ、該凸曲面を構成する湾曲面を大きく湾曲させて曲率の大きな湾曲面にすることが要求される場合がある。
【０００９】
しかし、かかる意匠上の要請に応えるべく、カバー部材全体を大きく湾曲させて曲率の大きな湾曲形状にすると、加飾層部分における湾曲も大きくなることに伴って、前記マスキング塗膜を正確に塗布することが困難になったり、加飾層の見切り線をより鮮明にするための印刷を施すことが困難になったりする。このため、マスキング塗膜の形成や印刷を正確に行うことができず、加飾層の見切り線が不鮮明になるという問題がある。
【００１０】
本発明は上記実情に鑑みてなされたものであり、表側透明層、裏側基材層及びこれらの間に配設された加飾層を備えた電波透過性カバー部材において、加飾層の見切り線が不鮮明になる問題を回避しつつ、表側透明層の表面をより大きな曲率の凸曲面にすることを可能として、該表面における立体感をより高めるという、意匠上の要請に応えることを解決すべき技術課題とするものである。
【課題を解決するための手段】
【００１１】
上記課題を解決する本発明の電波透過性カバー部材は、背後にレーダ装置が配設される外装部品に形成された開口部を塞ぐように該開口部に配設され、該レーダ装置が送・受信する電波を透過させうる電波透過性カバー部材であって、前記外装部品の表側に配置される表側透明層と、該外装部品の裏側に配置される裏側基材層と、該表側透明層及び該裏側基材層の間に配設された加飾層とを備え、前記表側透明層の少なくとも一部が表側に凸となる平凸レンズ形状をなしていることを特徴とするものである。
【００１２】
ここに、本願明細書における「表側」及び「裏側」とは、本発明の電波透過性カバー部材が外装部品の開口部に配設された状態における表側及び裏側を意味する。すなわち、電波透過性カバー部材の背後に配設されるレーダ装置側が裏側であり、このレーダ装置からの電波が該電波透過性カバー部材を透過して放出される外部側が表側である。
【００１３】
また、本願明細書における「平凸レンズ形状」とは、一面側の凸レンズ面（凸曲面）と他面側の湾曲していない略平坦面（必ずしも完全な平坦面である必要はない）とを有するものを意味し、例えば、加飾層に立体感をもたせるための段差面（凹凸面）を他面側の略平坦面が有しているものも含む意である。
【００１４】
この電波透過性カバー部材では、表側透明層の少なくとも一部が表側に凸となる平凸レンズ形状をなしているので、この表側透明層の裏側（加飾層側）の面は平面性を維持して略平坦面となっている。すなわち、平凸レンズ形状であれば、表側透明層の裏側の面の平面性を維持しつつ、表側透明層の表側の凸レンズ面を大きく湾曲させてより大きな曲率の凸曲面とすることができる。そして、表側透明層の裏側の面が平面性を維持して略平坦面であれば、加飾層自体も湾曲させることなく平面性を維持することができ、印刷技術等を良好に行うことが可能となる。したがって、加飾層の見切り線が不鮮明になる問題を回避しつつ、表側透明層の表面をより大きな曲率の凸曲面にすることを可能として、該表面における立体感をより高めるという、意匠上の要請に応えることできる。
【００１５】
また、この電波透過性カバー部材では、表側透明層の少なくとも一部が平凸レンズ形状をなしているので、この平凸レンズ形状の部分を透過する電波を屈折により集束させることができる。このため、レーダ装置から送信された電波を電波透過性カバー部材で集束させることができるので、電波の指向性が向上し、電波透過性カバー部材の近傍に位置する対象物を確実に検知することが可能となる。
【００１６】
本発明の電波透過性カバー部材の好適な態様において、前記裏側基材層の少なくとも一部が裏側に凸となる平凸レンズ形状をなしている。
【００１７】
この電波透過性カバー部材では、表側透明層及び裏側基材層の双方が平凸レンズ形状をなしているので、カバー部材全体としては両凸レンズ形状をなしており、平凸レンズ形状である場合と比較して焦点距離が短くなる。このため、この電波透過性カバー部材を透過する電波の指向性をより高めて、電波透過性カバー部材のより近傍に位置する対象物を確実に検知することが可能となる。
【００１８】
本発明の電波透過性カバー部材の好適な態様において、前記裏側基材層は、裏面の少なくとも一部が、透過する電波を屈折により集束させる集束レンズ機能を有するフレネルレンズ面よりなる。
【００１９】
この電波透過性カバー部材では、表側透明層が平凸レンズ形状をなすとともに裏側基材層が集束レンズ機能を有するフレネルレンズ形状をなしているので、カバー部材全体として両凸レンズ形状をなしている場合と同様に焦点距離が短くなって、電波透過性カバー部材のより近傍に位置する対象物を確実に検知することが可能となる。また、フレネルレンズ形状であれば、凸レンズ形状のように肉厚が厚くなることもないので、裏側基材層を平凸レンズ形状にする場合と比較して、カバー部材全体における薄肉化が可能となる。
【００２０】
好適には、前記外装部品は車両用外装部品としてのフロントグリルであって、本発明の電波透過性カバー部材は、該フロントグリルの前記開口部に配設されるフロントグリルガーニッシュである。
【００２１】
この態様によれば、加飾層の見切り線が鮮明で、かつ、表面がより立体的なフロントグリルガーニッシュを提供することができる。また、このフロントグリルガーニッシュの背後に配設される車載レーダ装置のレーダ性能においては、電波の指向性が高まり、車両の近傍に位置する対象物を確実に検知することができるようになる。
【発明を実施するための最良の形態】
【００２２】
以下、本発明の電波透過性カバー部材の実施形態について、図面を参照しつつ説明する。本実施形態は、本発明の電波透過性カバー部材を自動車のフロントグリルガーニッシュに適用したものである。
【００２３】
（実施形態１）
図１及び図２に示される本実施形態のフロントグリルガーニッシュ１は、自動車に取り付けられた状態が図１に示されるように、自動車の外装部品たるフロントグリル２に形成された電波透過用の開口部２ａを塞ぐように、図示しないブラケットやボルト等の固定手段により該開口部２ａに配設されている。また、このフロントグリルガーニッシュ１の背後には、フロントグリルガーニッシュ１の裏面から所定距離隔てた位置に、車載レーダ装置としてのミリ波レーダ装置３が配設されている。なお、ミリ波レーダ装置３は、周波数７６．５ＧＨｚのミリ波を送・受信する送・受信アンテナ（図示せず）を有している。
【００２４】
このフロントグリルガーニッシュ１は、ミリ波レーダ装置３が送・受信するミリ波を透過させることができ、フロントグリル２の表側（自動車の外側で、図１の左側）に配置される表側透明層４と、フロントグリル１の裏側、すなわちミリ波レーダ装置３側に配置される裏側基材層５と、これら表側透明層４及び裏側基材層５の間に配設された加飾層６とを備えており、フロントグリル２の表側から表側透明層４、加飾層６、裏側基材層５の順で積層された構造をなしている。そして、フロントグリルガーニッシュ１は、全体として両凸レンズ形状をなしている。
【００２５】
表側透明層４は、透明な電波透過性材料（誘電体材料）としてのＰＣ（ポリカーボネート）よりなる。そして、フロントグリルガーニッシュ１の分解断面図が図２に示されるように、この表側透明層４は、表側に凸となる平凸レンズ形状の全体形状を有しており、表側の表面全体が所定曲率をもつ凸レンズ面（凸曲面）４１よりなり、裏側の裏面全体が平面状の略平坦面４２よりなる。なお、この裏側の略平坦面４２には、所定位置に所定形状の凹部４２ａが形成されている。
【００２６】
裏側基材層５は、電波透過性材料（誘電体材料）としてのＡＥＳ（アクリロニトリル・エチレンプロピレン・スチレンポリマー）よりなる。この裏側基材層５は、裏側に凸となる平凸レンズ形状の全体形状を有しており、裏側の裏面全体が所定曲率をもつ凸レンズ面（凸曲面）５１よりなり、表側の表面全体が平面状の略平坦面５２よりなる。なお、この表側の略平坦面５２には、前記凹部４２ａと対応する位置及び形状の凸部５２ａが形成されている。
【００２７】
加飾層６は、裏側基材層５の表面全体にインジウム蒸着により形成された金属薄膜６１と、この金属薄膜６１上の所定位置に所定形状に形成された黒色のアクリル系塗料よりなる印刷層６２とからなる。この印刷層６２は、裏側基材層５の略平坦面５２に形成された凸部５２ａ以外の部分に形成されている。このため、このフロントグリルガーニッシュ１を表側から見ると、印刷層６２の部分の黒色を背景として、凸部５２ａ上に形成された金属薄膜６１による金属光沢をもつ銀色が表側透明層４内で浮かび上がるように立体的に見える。
【００２８】
ここに、加飾層６を構成する金属薄膜６１は、金属中で特に電波透過率の高いインジウムよりなる。また、加飾層６を構成する印刷層６２は、電波透過性材料としてのアクリル系塗料よりなる。さらに、これら金属薄膜６１及び印刷層６２は、いずれも表側透明層４及び裏側基材層５と比べて極めて薄い。したがって、フロントグリルガーニッシュ１におけるミリ波透過率に対して加飾層６が及ぼす影響はほとんど無視することができる。そして、表側透明層４を構成するＰＣと、裏側基材層５を構成するＡＥＳとは、ほぼ同等の比誘電率ε（≒２．６）を有している。このため、フロントグリルガーニッシュ１全体の比誘電率もほぼεであり、このフロントグリルガーニッシュ１を透過するミリ波の透過速度はほぼε-1/2となる。
【００２９】
上記構成を有する本実施形態のフロントグリルガーニッシュ１は、例えば、以下のようにして製造することができる。まず、射出成形により、表側透明層４及び裏側基材層５をそれぞれ所定形状に成形する。そして、裏側基材層５の表面全体にインジウム蒸着を施して金属薄膜６１を形成する。その後、スクリーン印刷という印刷技術により、金属薄膜６１上に印刷層６２を形成する。最後に、接着剤により加飾層６が形成された裏側基材層５と表側透明層４とを貼り付けて、本実施例のフロントグリルガーニッシュ１を完成する。
【００３０】
したがって、このフロントグリルガーニッシュ１では、表側透明層４が表側に凸となる平凸レンズ形状をなしているので、この表側透明層４の裏側（加飾層側）の面は平面性を維持して略平坦面４２となっている。このように平凸レンズ形状をなす表側透明層４によれば、表側透明層４の裏側の面の平面性を維持しつつ、表側透明層４の表側の凸レンズ面４１を大きく湾曲させてより大きな曲率の凸曲面とすることができる。そして、表側透明層４の裏側の面が平面性を維持して略平坦面４２であれば、加飾層６自体も湾曲させることなく平面性を維持することができ、印刷技術を良好に行って印刷層６２を正確に形成することが可能となる。したがって、加飾層６の見切り線が不鮮明になる問題を回避しつつ、表側透明層４の表面をより大きな曲率の凸曲面にすることができ、該表面における立体感をより高めるという、意匠上の要請に応えること可能となる。
【００３１】
また、このフロントグリルガーニッシュ１は、表側透明層４が平凸レンズ形状をなすとともに、裏側基材層５も平凸レンズ形状をなしており、全体としては両凸レンズ形状をなしている。このため、このフロントグリルガーニッシュ１を透過する電波を大きく屈折させて短い焦点距離で集束させることができる。このため、ミリ波レーダ装置３から送信されたミリ波をフロントグリルガーニッシュ１で鋭く集束させることができるので、ミリ波の指向性が向上し、フロントグリルガーニッシュ１の近傍に位置する対象物、すなわち車両前方の近傍位置にある対象物を確実に検知することが可能となる。
【００３２】
よって、本実施形態によれば、加飾層６の見切り線が鮮明で、かつ、表面がより立体的なフロントグリルガーニッシュ１を提供することができる。また、このフロントグリルガーニッシュ１の背後に配設されるミリ波レーダ装置３のレーダ性能においては、ミリ波の指向性が高まり、車両の近傍に位置する対象物を確実に検知することができるようになる。
【００３３】
また、本実施形態のフロントグリルガーニッシュ１では、表側透明層４及び裏側基材層５によりカバー部材として必要な剛性を確実に確保することができる。また、表側透明層４及び裏側基材層５の間に加飾層６が配設されているので、この加飾層６を所定形状に形成することにより、意匠性を高めることができる。さらに、加飾層６上に被覆される表側透明層４により、加飾層６を保護することができるとともに、加飾層６の立体感を高めることもできる。
【００３４】
なお、対象物で反射したミリ波は、再びフロントグリルガーニッシュ１を透過してミリ波レーダ装置３により受信される。この受信時にも、フロントグリルガーニッシュ１を透過するミリ波が集束されることになる。このため、ミリ波レーダ装置３の受信面を小さくすることができ、ひいてはミリ波レーダ装置３の小型化を図ることができる。
【００３５】
この実施形態では、フロントグリルガーニッシュ１を構成する表側透明層４及び裏側基材層５の全体をそれぞれ平凸レンズ形状にしてフロントグリルガーニッシュ１全体を両凸レンズ形状にする例について説明したが、フロントグリルガーニッシュ１の周縁部等に均一肉厚部等を設けることにより、フロントグリルガーニッシュの中央部分等のみを部分的に凸レンズ形状としてもよい。また、フロントグリルガーニッシュに部分的に設ける凸レンズ形状は１個に限らず、複数個設けてもよい。
【００３６】
（実施形態２）
本実施形態は、前記実施形態１のフロントグリルガーニッシュ１において、裏側基材層５の形状を変更したものである。
【００３７】
すなわち、この裏側基材層５は、図３に示されるように、略平板状の全体形状を有しており、裏側の裏面全体が平面状の平坦面５３よりなる。なお、裏側基材層５の表側の表面全体は、前記実施形態１と同様、略平坦面５２よりなる。
【００３８】
このため、このフロントグリルガーニッシュ１は、表側透明層４のみが平凸レンズ形状をなしており、全体としても平凸レンズ形状をなしている。
【００３９】
したがって、本実施形態のフロントグリルガーニッシュ１は、フロントグリルガーニッシュ１の全体が両凸レンズ形状をなす前記実施形態１の場合と比較して、透過したミリ波が集束する際の焦点距離が長くなるとともに、フロントグリルガーニッシュ１の特に中央部分における薄肉化が可能となる。
【００４０】
その他の構成及び作用効果は、前記実施形態１と同様である。
【００４１】
（実施形態３）
本実施形態は、前記実施形態１のフロントグリルガーニッシュ１において、裏側基材層５の形状を変更したものである。
【００４２】
すなわち、この裏側基材層５は、図４に示されるように、略平板状の全体形状を有しており、裏側の裏面全体が透過するミリ波を屈折により集束させる集束レンズ機能を有するフレネルレンズ面５４よりなる。
【００４３】
このため、このフロントグリルガーニッシュ１は、全体としては平凸レンズ形状をなしている。
【００４４】
したがって、このフロントグリルガーニッシュ１は、表側透明層４が平凸レンズ形状をなすとともに裏側基材層５が集束レンズ機能を有するフレネルレンズ形状をなしているので、フロントグリルガーニッシュ１全体として両凸レンズ形状をなしている前記実施形態１と同様のレンズ機能を有して前記実施形態１と同様に焦点距離が短くなって、フロントグリルガーニッシュ１のより近傍に位置する対象物を確実に検知することが可能となる。
【００４５】
また、フレネルレンズ形状であれば、凸レンズ形状のように肉厚が厚くなることもないので、裏側基材層５が平凸レンズ形状である前記実施形態１の場合と比較して、フロントグリルガーニッシュ１の特に中央部分における薄肉化が可能となる。
【００４６】
その他の構成及び作用効果は、前記実施形態１と同様である。
【００４７】
（その他の態様）
なお、前記実施形態では、フロントグリルガーニッシュ１の裏面から後方に所定距離だけ隔てた位置にミリ波レーダ装置３を別体として配設する例について説明したが、本発明はこれに限定されるものではない。例えば、前面が開放した前方開口部をもつ箱状等のケースの該前面開口部をフロントグリルガーニッシュ１の背面で覆ったり、あるいは前面が電波を透過しうる電波透過性材料（誘電体材料）よりなるケースの該前面にフロントグリルガーニッシュ１の背面を貼り付けたりすることにより、フロントグリルガーニッシュ１とケースとを一体的に結合し、このケース内にレーダ装置として必要な機能を有する送・受信アンテナ等を内蔵させてもよい。
【００４８】
また、前記実施形態では、電波としてミリ波の例について説明したが、ミリ波以外の電波、例えばマイクロ波を用いたレーダ装置としてもよい。
【００４９】
さらに、前記実施形態では、表側透明層及び裏側基材層に合成樹脂を採用したが、合成樹脂の変わりにガラスを用いることもできる。
【００５０】
加えて、加飾層として、金属蒸着を施す代わりに、金属めっき層や金属箔の貼り付けを施してもよい。また、インジウム以外の金属であってもよい。
【図面の簡単な説明】
【００５１】
【図１】本発明の実施形態１に係り、フロントグリルガーニッシュを車両に取り付けた状態を模式的に示す断面図である。
【図２】本発明の実施形態１に係り、フロントグリルガーニッシュを分解した状態を示す分解断面図である。
【図３】本発明の実施形態２に係り、フロントグリルガーニッシュを車両に取り付けた状態を模式的に示す断面図である。
【図４】本発明の実施形態３に係り、フロントグリルガーニッシュを車両に取り付けた状態を模式的に示す断面図である。
【符号の説明】
【００５２】
１…フロントグリルガーニッシュ（電波透過性カバー部材）
２…フロントグリル（外装部品）
２ａ…開口部                        ３…ミリ波レーダ装置
４…表側透明層                    ５…裏側基材層
６…加飾層                ４１、５１…凸レンズ面
４２、５２…略平坦面              ５４…フレネルレンズ面
６１…金属薄膜                    ６２…印刷層
【図１】
2006287500.tif 000003
【図２】
2006287500.tif 000004
【図３】
2006287500.tif 000005
【図４】
2006287500.tif 000006